(57)【要約】【課題】  １つの周波数帯域により映像信号と音声信号からなるテレビ信号と、インターカム信号とを送信あるいは受信する。【解決手段】  テレビカメラ２からの映像信号および音声信号と、インターカム装置３からの通話信号であるインターカム信号とを、それぞれエンコーダ４ａ〜４ｃでデジタル信号に変換し、マルチプレクサ５で多重化してトランスポートストリーム信号を生成する。この際に、トランスポートストリーム信号におけるテレビ音声データに割り当てられている帯域の一部を、インターカム信号データを伝送する帯域として割り当てる。【選択図】  図１
2007110297.tif 000002
【特許請求の範囲】
【請求項１】
撮影現場に配置されたテレビカメラから出力されるテレビ信号と、通話信号であるインターカム信号とをストリーム信号としてセンターへ伝送する通信装置であって、
前記テレビ信号の映像信号と音声信号をそれぞれデジタル信号に変換する第１のエンコーダ手段と、
前記インターカム信号をデジタル信号に変換する第２のエンコーダ手段と、
前記第１のエンコーダ手段から出力される映像信号データおよび音声信号データと、前記第２のエンコーダ手段から出力されるインターカム信号データとを、それぞれパケット化して多重することにより前記ストリーム信号を生成するマルチプレクサ手段と、
該マルチプレクサ手段から出力される前記ストリーム信号をデジタル変調して回線に出力するデジタル変調手段とを備え、
前記マルチプレクサ手段においては、前記ストリーム信号における前記音声データに予め割り当てられている帯域の一部を、前記インターカム信号データを伝送する帯域として割り当てるようにしたことを特徴とするテレビ信号およびインターカム信号の通信装置。
【請求項２】
前記回線がケーブルテレビ網の上り回線とされていることを特徴とする請求項１記載のテレビ信号およびインターカム信号の通信装置。
【請求項３】
テレビ信号と通話信号とされるインターカム信号とが多重化されてデジタル変調されているストリーム信号を回線から受信してそれぞれの信号に分離する通信装置であって、
デジタル変調された前記ストリーム信号を復調するデジタル復調手段と、
該デジタル復調手段から出力されたストリーム信号から多重されている映像信号データのパケットおよび音声信号データのパケットと、インターカム信号データのパケットとに分離するデマルチプレクサ手段と、
該デマルチプレクサ手段から出力された前記テレビ信号の映像信号データと音声信号データをそれぞれアナログ信号に変換する第１のデコーダ手段と、
前記デマルチプレクサ手段から出力されたインターカム信号データをアナログ信号に変換する第２のデコーダ手段とを備え、
前記ストリーム信号においては、前記音声データに予め割り当てられている帯域の一部が、前記インターカム通話信号データを伝送する帯域として割り当てられていることを特徴とするテレビ信号およびインターカム信号の通信装置。
【請求項４】
前記回線がケーブルテレビ網の上り回線とされていることを特徴とする請求項３記載のテレビ信号およびインターカム信号の通信装置。
【発明の詳細な説明】
【技術分野】
【０００１】
本発明は、テレビカメラが配置された撮影現場からテレビ信号および通話信号であるインターカム信号を送信したり、撮影現場から送信されたテレビ信号およびインターカム信号を受信する通信装置に関するものである。
【背景技術】
【０００２】
テレビ番組における生中継等の番組においては、現場にテレビカメラを設置してテレビカメラで撮影した映像信号と音声信号とを通信回線によりセンターに伝送するようにしている。この場合、センターでは現場に設置したテレビカメラを操作するカメラマンにズームやパン等のカメラ操作を指示することにより、映像信号と音声信号とからなる所望のテレビ信号をセンターに伝送させるようにしている。センターでは伝送されてきたテレビ信号をテレビ番組用に編集して、配信するようにしている。また、センターからカメラマン等への指示はインターカム装置を用いて行われ、通話信号であるインターカム信号もテレビ信号を伝送している通信回線を用いて伝送するようにしている。
【発明の開示】
【発明が解決しようとする課題】
【０００３】
最近は、現場に設置されたテレビカメラから出力された映像信号および音声信号とが、それぞれデジタル信号に変換されると共にパケット化されて、トランスポートストリーム信号として伝送されている。この場合、トランスポートストリーム信号は、例えば１６ＱＡＭ（Quadrature Amplitude Modulation）等のデジタル変調が施されて通信回線に送出される。また、インターカム信号はＦＭ（周波数変調）されて通信回線に送出される。このように、通信回線にはトランスポートストリーム信号を変調した１６ＱＡＭ信号とＦＭ 変調したインターカム信号とが送出されるが、両信号が干渉しないようにＦＭ変調されるキャリアの周波数は１６ＱＡＭ信号が占める周波数帯域の外の周波数が割り当てられる。例えば、１６ＱＡＭ信号とインターカム信号に図５に示すように周波数帯域が割り当てられる。なお、この周波数帯域は通信回線における上りの周波数帯域となる。
【０００４】
しかしながら、１６ＱＡＭ信号とインターカム信号を伝送するために、２つの周波数帯域が必要になるため、当該通信回線の周波数帯域が有効的に使えないという問題点があった。また、通信回線には他の信号の伝送帯域も割り当てられることが通常とされていることから妨害が生じ易いと共に、ケーブルテレビ（ＣＡＴＶ）のように上りの周波数帯域が狭くされている場合は２つの周波数帯域を割り当てると他の通信に支障を生じる可能性があるという問題点があった。
そこで、本発明は映像信号および音声信号からなるテレビ信号と、インターカム信号とを１つの周波数帯域により伝送することのできる通信装置を提供することを目的としている。
【課題を解決するための手段】
【０００５】
上記目的を達成するために、本発明のテレビ信号およびインターカム信号の通信装置は、ストリーム信号におけるテレビ音声データに割り当てられている帯域の一部を、インターカム音声データを伝送する帯域として割り当てるようにしたことを最も主要な特徴としている。
【発明の効果】
【０００６】
本発明によれば、トランスポートストリーム信号におけるテレビ音声データに予め割り当てられている帯域の一部を、インターカム音声データを伝送する帯域として割り当てるようにしたことをから、映像信号および音声信号からなるテレビ信号と、通話信号であるインターカム信号とを１つの周波数帯域により伝送することができるようになる。
【発明を実施するための最良の形態】
【０００７】
本発明の実施例のテレビ信号およびインターカム信号の通信装置においては、テレビカメラが設置されている現場に第１の通信装置が備えられ、この第１の通信装置は現場に設置されたテレビカメラから出力されるテレビ信号とセンターへ送る通話信号であるインターカム信号とを多重した多重信号の送信を行うと共に、センターからの通話信号であるインターカム信号の受信を行っている。また、センターには第２の通信装置が備えられ、この第２の通信装置は現場から送られてきたテレビ信号と通話信号であるインターカム信号が多重された多重信号の受信を行うと共に、センターから現場への通話信号であるインターカム信号の送信を行っている。
現場に備えられる本発明の実施例の第１の通信装置の構成を示すブロック図を図１に示す。
【０００８】
図１に示す本発明にかかる第１の通信装置１では、撮影現場に設置したテレビカメラ２から出力された映像信号と音声信号とからＭＰＥＧ２（Moving Picture Experts Group 2）におけるトランスポートストリーム信号が生成されて、ケーブルテレビ（ＣＡＴＶ）網の上り回線を用いてセンターに送信されている。また、撮影現場とセンターとを結ぶインターカム回線が構築されており、インターカム回線によりセンターから撮影現場に設置したテレビカメラを操作するカメラマンにカメラ操作等の指示が与えられると共に、カメラマンからはセンターへの応答や問い合わせが行われるようになる。現場からセンターへの通話信号であるインターカム信号は、トランスポートストリーム信号に多重されＣＡＴＶ網の上り回線を利用してセンターへ伝送され、センターから現場への通話信号であるインターカム信号はＣＡＴＶ網の下り回線を利用して現場へ伝送されている。
【０００９】
以下、図１を参照しながら第１の通信装置の構成について説明する。撮影現場に設置したテレビカメラ２から出力された映像信号はデジタルエンコーダ（Ａ／Ｄ）４ａに供給されてデジタル信号に変換され、音声信号はデジタルエンコーダ（Ａ／Ｄ）４ｂに供給されてデジタル信号に変換される。また、現場からセンターへ伝送されるインターカム装置３からの通話信号とされるインターカム信号はデジタルエンコーダ（Ａ／Ｄ）４ｃに供給されてデジタル信号に変換される。Ａ／Ｄ４ａ〜Ａ／Ｄ４ｃから出力されるデジタル化された映像信号データと音声信号データとインターカム信号データはマルチプレクサ（ＭＵＸ）５に供給されて多重化され、ＭＰＥＧ２におけるトランスポートストリーム信号（以下、「ＴＳストリーム信号」という）が生成される。
【００１０】
ＴＳストリーム信号の構成を図３に示す。図３に示すようにＴＳストリーム信号２０は、トランスポートパケット（以下、「ＴＳパケット」という）３０が複数個集まって構成されている。ＴＳパケット３０は、１８８バイトの固定パケットされ、４バイト固定長のパケットヘッダ３１と可変長のアダプテーションフィールド（adaptation field）およびペイロード（payload）からなるデータ部３２で構成される。パケットヘッダ３１にはＰＩＤ（パケット識別子）や各種のフラグが定義されており、ＰＩＤによりＴＳパケット３０の種類が識別される。アダプテーションフィールドとペイロードはどちらかだけが存在する場合と両方が存在する場合があり、その有無はパケットヘッダ３１内のフラグ（adaptation_field_control）により示されている。ＴＳストリーム信号２０は複数のプログラムを伝送することができるようにされており、ストリームに含まれているプログラムと、そのプログラムを構成している映像信号データや音声信号データのストリームなどの要素との関係を表すテーブル情報が規定されている。このテーブル情報はＰＳＩ（Program Specific Information)と呼ばれ、ＰＡＴ（Program Association Table）、ＰＭＴ（Program Map Table）など４種類のテーブルが規定されている。ＰＡＴ、ＰＭＴなどのＰＳＩはセクションと呼ばれる単位でＴＳパケット３０の中のペイロードに配置されて伝送される。ＰＡＴにはプログラム番号に対応したＰＭＴのＰＩＤなどが記述されており、ＰＭＴには対応するプログラムに含まれる映像信号データ、音声信号データ、付加データおよび復号に用いるタイムスタンプであるＰＣＲ（Program_Clock_Reference）のＰＩＤが記述されるので、ＰＡＴとＰＭＴを参照することによりＴＳストリーム信号２０の中から目的のプログラムを構成するＴＳパケット３０だけを取り出すことができる。
【００１１】
マルチプレクサ５においては、デジタル化された映像信号データと音声信号データとインターカム信号データの個別ストリームは、同じＰＩＤ番号を持つ複数のＴＳパケット３０のデータ部３２に分割して納められる。この場合、分割された映像信号データは映像パケット４０に、音声信号データは音声パケット４３に、インターカム信号データはインターカムパケット４６に、それぞれパケット化される。すなわち、ＴＳパケット３０のデータ部３２は図３に示すように、ヘッダ４１と映像データ４２からなる映像パケット４０と、ヘッダ４４と音声信号データ４５からなる音声パケット４３と、ヘッダ４７とインターカム信号データ４８からなるインターカムパケット４６と、前記したテーブル情報であるＰＳＩ４９から構成される。なお、ヘッダ４１、ヘッダ４４およびヘッダ４７は、パケットの大きさなどのパケット自体に関する情報から構成されている。
ところで、ＭＰＥＧ２におけるＴＳパケット３０においては、音声パケット４３の帯域とインターカムパケット４６の帯域とを併せた帯域が、テレビ信号の音声信号データに予め割り当てられているのであるが、本発明おいては、この音声信号データに割り当てられている帯域を２分割して音声信号データとインターカム信号データとに割り当てている。
【００１２】
前記した構成とされるＴＳストリーム信号２０がマルチプレクサ５において生成されて出力され、１６ＱＡＭ変調器６に供給される。１６ＱＡＭ変調器６においてＴＳストリーム信号２０は１６ＱＡＭ変調されて混合／分岐器８を介してＣＡＴＶ網の上り回線へ送出される。この場合、前述したように本来は音声信号データに割り当てられている帯域を２分割して音声信号データとインターカム信号データとに割り当てているため、ＣＡＴＶ網の上り回線に送出されるＴＳストリーム信号＋インターカム信号が占める周波数帯域は、図４に示すようにＴＳストリーム信号が本来占める周波数帯域と同一の周波数帯域とされる。なお、１６ＱＡＭ（Quadrature Amplitude Modulation）は、デジタル変調方式の一つであり、位相と振幅をそれぞれ４種類ずつ持ち、それらを組み合わせることで１６種類の値を作って、データ送信に用いている。この変調方式は、１シンボルあたりのデータ量が多くなるため、高速デジタル通信に向いている。
【００１３】
ところで、センターから現場のカメラマン等への指示はインターカムを用いて行われ、この通話信号であるインターカム信号はＣＡＴＶ網の下り回線を介してＦＭ信号として第１の通信装置１で受信されるようになる。このＦＭ信号は第１の通信装置１における混合／分岐器８によりＦＭ復調器７に供給されてＦＭ復調される。ＦＭ復調されたインターカム信号である音声信号はインターカム装置３へ供給されてカメラマン等にセンターからの指示の音声信号として与えられる。
【００１４】
次に、センターに備えられる本発明の実施例の第２の通信装置の構成を示すブロック図を図２に示す。
図２に示す第２の通信装置１０では、第１の通信装置１からＣＡＴＶ網の上り回線に送出されたＴＳストリーム信号２０が受信される。受信されたＴＳストリーム信号２０は混合／分岐器１１から１６ＱＡＭ復調器１２に供給され１６ＱＡＭ復調されてベースバンドのＴＳストリーム信号２０とされる。このＴＳストリーム信号２０はデマルチプレクサ（ＤＥＭＵＸ）１３に供給されて、映像パケット４０と音声パケット４３とインターカムパケット４６とに分離される。分離された映像パケット４０はデジタルデコーダ（Ｄ／Ａ）１４ａに供給されてアナログ信号に変換されモニタレコーダ１５に供給される。また、分離された音声パケット４３はデジタルデコーダ（Ｄ／Ａ）１４ｂに供給されてアナログ信号に変換されモニタレコーダ１５に供給される。モニタレコーダ１５では、供給された映像信号と音声信号からなるテレビ信号がモニタディスプレイに表示されると共に、レコードすることができるようになる。
【００１５】
この場合、デマルチプレクサ１３においては、ＴＳパケット３０の中のＰＳＩ４９におけるＰＡＴとＰＭＴを参照することにより、ＴＳストリーム信号２０の中から映像パケット４０と音声パケット４３とインターカムパケット４６をそれぞれ構成するＴＳパケット３０を種類別に取り出して、該当するデジタルデコーダ１４ａ〜１４ｃに供給している。
さらに、分離されたインターカムパケット４６はデジタルデコーダ（Ｄ／Ａ）１４ｃに供給されてアナログ信号に変換されインターカム装置１７に供給される。インターカム装置１７に供給されるインターカム信号は、現場のカメラマン等からの応答や問い合わせの通話信号であり、これがセンターに伝えられるようになる。
また、前述したセンターから現場のカメラマン等へ指示する音声信号はインターカム装置１７からＦＭ変調器１６に供給される。このＦＭ変調器１６においてＦＭ変調されたインターカム信号は、混合／分岐器１１を介してＣＡＴＶ網の下り回線に送出される。下り回線に送出されたＦＭ信号とされている通話信号であるインターカム信号は、前述したように現場における第１の通信装置１で受信されてテレビカメラを操作するカメラマン等への指示として伝えられるようになる。
【産業上の利用可能性】
【００１６】
以上説明したように、現在のＣＡＴＶ網などでは上りインターカム信号はＦＭ変調することにより独立した回線で伝送していたが、本発明の実施例のようにデジタル化してＭＰＥＧ２のトランスポートストリーム信号に多重したことで、センターと現場とでのインターカム通話のシステムが容易に構築できるようになった。
【図面の簡単な説明】
【００１７】
【図１】現場に備えられる本発明の実施例の第１の通信装置の構成を示すブロック図である。
【図２】センターに備えられる本発明の実施例の第２の通信装置の構成を示すブロック図である。
【図３】本発明のテレビ信号およびインターカム信号の通信装置におけるトランスポートストリーム信号の構成を示す図である。
【図４】本発明のテレビ信号およびインターカム信号の通信装置において、テレビ信号およびインターカム信号を伝送するトランスポートストリーム信号の占有周波数帯域を示す図である。
【図５】従来のテレビ信号およびインターカム通話信号が伝送される際の占有周波数帯域を示す図である。
【符号の説明】
【００１８】
１  第１の通信装置、２  テレビカメラ、３  インターカム装置、４ａ〜４ｃ  デジタルエンコーダ、５  マルチプレクサ、６  １６ＱＡＭ変調器、７  ＦＭ復調器、８  混合／分岐器、１０  第２の通信装置、１１  混合／分岐器、１２  １６ＱＡＭ復調器、１３  デマルチプレクサ、１４ａ〜１４ｃ  デジタルデコーダ、１５  モニタレコーダ、１６  ＦＭ変調器、１７  インターカム装置、２０  ストリーム信号、３０  トランスポートパケット、３１  パケットヘッダ、３２  データ部、４０  映像パケット、４１  ヘッダ、４２  映像データ、４３  音声パケット、４４  ヘッダ、４５  音声信号データ、４６  インターカムパケット、４７  ヘッダ、４８  インターカム信号データ
【図１】
2007110297.tif 000003
【図２】
2007110297.tif 000004
【図３】
2007110297.tif 000005
【図４】
2007110297.tif 000006
【図５】
2007110297.tif 000007